(57)【要約】【課題】光伝送装置が熱で損傷するのを防ぐことができ、広い温度範囲で使用できる光伝送システム及びそれを備えた機器を提供する。【解決手段】チューブ７内を流れる流体は、光伝送装置内または近傍に形成された流路に流れ込む。これにより、光伝送装置を冷却または加熱することができる。【選択図】図１
2005151354.tif 000002
【特許請求の範囲】
【請求項１】
流体を流すチューブと、
光伝送装置と、
上記チューブ内の上記流体を上記光伝送装置内または近傍に流す流路とを備え、
上記チューブ内の上記流体を上記流路に流すことにより、上記光伝送装置を冷却または加熱する事を特徴とする光伝送システム。
【請求項２】
請求項１に記載の光伝送システムにおいて、
光ファイバケーブルを備え、
上記光ファイバケーブルは、
上記チューブと、
上記チューブの両端に付けられたプラグと、
上記チューブ外で上記チューブに並進すると共に、光信号を伝播する光ファイバと、
上記光ファイバの両端に付けられたフェルールと
を有し、
上記光伝送装置は上記光ファイバケーブルの上記プラグおよび上記フェルールが脱着可能な嵌合部を有し、
上記チューブ内の上記流体を用いて、上記光ファイバ及び上記光伝送装置を冷却または加熱する事を特徴とする光伝送システム。
【請求項３】
請求項１に記載の光伝送システムにおいて、
光ファイバケーブルを備え、
上記光ファイバケーブルは、
上記チューブと、
上記チューブの両端に付けられたプラグと、
上記チューブ内を挿通すると共に、光信号を伝播する光ファイバと、
上記光ファイバの両端に付けられたフェルールと
を有し、
上記光伝送装置は上記光ファイバケーブルの上記プラグおよび上記フェルールが脱着可能な嵌合部を有し、
上記チューブ内の上記流体を用いて、上記光ファイバ及び上記光伝送装置を冷却または加熱する事を特徴とする光伝送システム。
【請求項４】
請求項１に記載の光伝送システムにおいて、
上記チューブと、上記チューブの両端に付けられたプラグとを有する光ケーブルを備え、
上記光伝送装置は上記光ケーブルの上記プラグが脱着可能な嵌合部を有し、
上記チューブ内の上記流体が光信号を伝播する事を特徴とする光伝送システム。
【請求項５】
請求項２乃至４のいずれか１つに記載の光伝送システムにおいて、
上記流体の持つ運動エネルギを電気エネルギに変換する変換器と、上記電気エネルギを蓄える充電池とを備えた事を特徴とする光伝送システム。
【請求項６】
請求項２乃至４のいずれか１つに記載の光伝送システムにおいて、
上記流体の持つ化学エネルギを電気エネルギに変換する変換器と、上記電気エネルギを蓄える充電池とを備えた事を特徴とする光伝送システム。
【請求項７】
請求項５に記載の光伝送システムにおいて、
上記変換器は、発電機と、この発電機の回転動力源となるタービンとを有する事を特徴とする光伝送システム。
【請求項８】
請求項６に記載の光伝送システムにおいて、
上記流体はアルコールであり、上記変換器は改質型燃料電池である事を特徴とする光伝送システム。
【請求項９】
請求項５または６に記載の光伝送システムにおいて、
上記充電池は上記光伝送装置に搭載され、
上記光伝送装置は、上記充電池の電気エネルギを上記光伝送装置の外部に伝えるための外部接続端子を有する事を特徴とする光伝送システム。
【請求項１０】
請求項４に記載の光伝送システムにおいて、
上記チューブが透明または半透明の樹脂で形成されている事を特徴とする光伝送システム。
【請求項１１】
請求項２または３に記載の光伝送システムにおいて、
上記光ファイバがプラスチック光ファイバであり、上記流体が液体である事を特徴とする光伝送システム。
【請求項１２】
請求項４に記載の光伝送システムにおいて、
上記流体と上記光信号とを、透明材料による光学素子にて分離する事を特徴とする光伝送システム。
【請求項１３】
請求項２または３に記載の光伝送システムにおいて、
上記光ファイバケーブルが脱着可能な２つの接続部を有する接続装置を備え、
上記２つの接続部は互いに対向している事を特徴とする光伝送システム。
【請求項１４】
請求項４に記載の光伝送システムにおいて、
上記光ケーブルが脱着可能な２つの接続部を有する接続装置を備え、
上記２つの接続部は互いに対向している事を特徴とする光伝送システム。
【請求項１５】
請求項２または３に記載の光伝送システムにおいて、
上記光ファイバケーブルが脱着可能なＮ（但し、Ｎは３以上の自然数）個の接続部を有する接続装置を備え、
上記接続装置は、上記接続部からの光信号を分岐する分岐手段を有する事を特徴とする光伝送システム。
【請求項１６】
請求項４に記載の光伝送システムにおいて、
上記光ケーブルが脱着可能なＮ（但し、Ｎは３以上の自然数）個の接続部を有する接続装置を備え、
上記接続装置は、上記接続部からの光信号を分岐する分岐手段を有する事を特徴とする光伝送システム。
【請求項１７】
請求項１に記載の光伝送システムを備えた事を特徴とする機器。
【発明の詳細な説明】
【技術分野】
【０００１】
本発明は、例えば、ＯＡ（Office Automation）機器、車や列車、航空機に用いられる広い温度範囲で使用可能で、かつ、エネルギ伝送と信号伝送とが可能な光伝送システム及びそれを備えた機器に関する。
【背景技術】
【０００２】
従来、光伝送システムの光ファイバとしては、特開昭６０-２９７０８号公報（特許文献１）に開示されているようにエネルギ伝送が可能なものがある。特許文献１の光ファイバは、図２２に示すような同軸３重のガラス層を持っている。より詳しくは、上記光ファイバは、第１コア部１００１で光信号を伝送し、第２コア部１００２で電力を光伝送する。また、上記第２コア部１００２はクラッド部１００３が取り囲んでいる。
【０００３】
しかしながら、上記光ファイバでは、第２コア部１００２の光エネルギの密度が低いため、大きな電力を第２コア部１００２で光伝送できないという問題がある。
【０００４】
この問題を解決する方法としては、図２３に示すような光ファイバケーブルを用いる方法が考えられる（例えば特開昭６３-２２０６号公報（特許文献２）参照）。この光ファイバケーブルは、光ファイバ１１０１を導電性補強材１１０６で被覆し、その導電性補強材１１０６で電力を伝送する。
【０００５】
しかし、上記光ファイバケーブルでは、導電性補強材１１０６を導電性樹脂で形成した場合、導電性補強材１１０６の電気抵抗が大きくなるため、導電性補強材１１０６による発熱が大きくなる。その結果、上記光ファイバケーブルを接続する光伝送装置が、導電性補強材１１０６の熱で損傷してしまうという問題がある。
【特許文献１】特開昭６０−２９７０８号公報
【特許文献２】特開昭６３−２２０６号公報
【発明の開示】
【発明が解決しようとする課題】
【０００６】
そこで、本発明の課題は、光伝送装置が熱で損傷するのを防ぐことができ、広い温度範囲で使用できる光伝送システム及びそれを備えた機器を提供する事にある。
【課題を解決するための手段】
【０００７】
上記課題を解決するため、第１の発明の光伝送システムは、
流体を流すチューブと、
光伝送装置と、
上記チューブ内の上記流体を上記光伝送装置内または近傍に流す流路とを備え、
上記チューブ内の上記流体を上記流路に流すことにより、上記光伝送装置を冷却または加熱する事を特徴としている。
【０００８】
上記構成の光伝送システムを例えば熱帯地で使用する場合、上記チューブ内に冷たい流体を流し込むことにより、その流体が光伝送装置内または近傍の流路を流れて光伝送装置の温熱を吸収する。つまり、上記光伝送装置が流体によって冷却される。
【０００９】
また、上記光伝送システムを例えば寒冷地で使用する場合、上記チューブ内に暖かい流体を流し込むことにより、その流体が光伝送装置内または近傍の流路を流れ、光伝送装置が流体の温熱を吸収する。つまり、上記光伝送装置が流体によって暖められる。
【００１０】
したがって、上記光伝送装置の熱損傷を防ぐことができ、広い温度範囲で使用できる。すなわち、上記光伝送システムの使用温度範囲を広くする事ができる。
【００１１】
一実施形態の光伝送システムは、
光ファイバケーブルを備え、
上記光ファイバケーブルは、
上記チューブと、
上記チューブの両端に付けられたプラグと、
上記チューブ外で上記チューブに並進すると共に、光信号を伝播する光ファイバと、
上記光ファイバの両端に付けられたフェルールと
を有し、
上記光伝送装置は上記光ファイバケーブルの上記プラグおよび上記フェルールが脱着可能な嵌合部を有し、
上記チューブ内の上記流体を用いて、上記光ファイバ及び上記光伝送装置を冷却または加熱する。
【００１２】
上記実施形態の光伝送システムを例えば熱帯地で使用する場合、上記チューブ内に冷たい流体を流し込むことにより、流体が光ファイバ及び光伝送装置の温熱を吸収する。つまり、上記光ファイバ及び光伝送装置が流体によって冷却される。
【００１３】
また、上記光伝送システムを例えば寒冷地で使用する場合、上記チューブ内に暖かい流体を流し込むことにより、光ファイバ及び光伝送装置が流体の温熱を吸収する。つまり、上記光ファイバ及び光伝送装置が流体によって暖められる。
【００１４】
したがって、上記光ファイバ及び光伝送装置の熱損傷を防ぐことができ、広い温度範囲で使用できる。すなわち、上記光伝送システムの使用温度範囲を広くする事ができる。
【００１５】
一実施形態の光伝送システムは、
光ファイバケーブルを備え、
上記光ファイバケーブルは、
上記チューブと、
上記チューブの両端に付けられたプラグと、
上記チューブ内を挿通すると共に、光信号を伝播する光ファイバと、
上記光ファイバの両端に付けられたフェルールと
を有し、
上記光伝送装置は上記光ファイバケーブルの上記プラグおよび上記フェルールが脱着可能な嵌合部を有し、
上記チューブ内の上記流体を用いて、上記光ファイバ及び上記光伝送装置を冷却または加熱する。
【００１６】
上記実施形態の光伝送システムを例えば熱帯地で使用する場合、上記チューブ内に冷たい流体を流し込むことにより、流体が光ファイバ及び光伝送装置の温熱を吸収する。つまり、上記光ファイバ及び光伝送装置が流体によって冷却される。
【００１７】
また、上記光伝送システムを例えば寒冷地で使用する場合、上記チューブ内に暖かい流体を流し込むことにより、光ファイバ及び光伝送装置が流体の温熱を吸収する。つまり、上記光ファイバ及び光伝送装置が流体によって暖められる。
【００１８】
したがって、上記光ファイバ及び光伝送装置の熱損傷を防ぐことができ、広い温度範囲で使用できる。すなわち、上記光伝送システムの使用温度範囲を広くする事ができる。
【００１９】
一実施形態の光伝送システムは、
上記チューブと、上記チューブの両端に付けられたプラグとを有する光ケーブルを備え、
上記光伝送装置は上記光ケーブルの上記プラグが脱着可能な嵌合部を有し、
上記チューブ内の上記流体が光信号を伝播する。
【００２０】
上記実施形態の光伝送システムは、上記光ケーブル内の流体が光信号を伝播するので、光ファイバが不要となり、軽量化や小型化できる。
【００２１】
一実施形態の光伝送システムは、上記流体の持つ運動エネルギを電気エネルギに変換する変換器と、上記電気エネルギを蓄える充電池とを備えている。
【００２２】
一実施形態の光伝送システムは、上記変換器が流体の運動エネルギを電気エネルギに変換するので、光伝送装置に電力を供給しなくて済む。したがって、上記光伝送システムは、光伝送装置に電力を供給する電力線を無くして軽量化することができる。
【００２３】
一実施形態の光伝送システムは、上記流体の持つ化学エネルギを電気エネルギに変換する変換器と、上記電気エネルギを蓄える充電池とを備えている。
【００２４】
上記実施形態の光伝送システムによれば、上記変換器が流体の化学エネルギを電気エネルギに変換するので、光伝送装置に電力を供給しなくて済む。したがって、上記光伝送システムは、光伝送装置に電力を供給する電力線を無くして軽量化することができる。
【００２５】
一実施形態の光伝送システムは、上記変換器は、発電機と、この発電機の回転動力源となるタービンとを有する。
【００２６】
一実施形態の光伝送システムは、上記流体はアルコールであり、上記変換器は改質型燃料電池である。
【００２７】
一実施形態の光伝送システムは、上記充電池は上記光伝送装置に搭載され、上記光伝送装置は、上記充電池の電気エネルギを上記光伝送装置の外部に伝えるための外部接続端子を有する。
【００２８】
一実施形態の光伝送システムは、上記チューブが透明樹脂で形成されている。
【００２９】
一実施形態の光伝送システムは、上記光ファイバがプラスチック光ファイバであり、上記流体が液体である。
【００３０】
一実施形態の光伝送システムは、上記流体と上記光信号とを、透明材料による光学素子にて分離する。
【００３１】
一実施形態の光伝送システムは、上記光ファイバケーブルが脱着可能な２つの接続部を有する接続装置を備え、上記２つの接続部は互いに対向している。
【００３２】
上記実施形態の光伝送システムによれば、上記接続装置の一方の接続部に接続された光ファイバケーブルで伝送されてきた光信号は、接続装置の他方の接続部に接続された光ファイバケーブルに入射する。このとき、上記接続装置の一方の接続部に接続された光ファイバケーブルの端面と、接続装置の他方の接続部に接続された光ファイバケーブルの端面とが対向するので、光ファイバケーブル間で光信号を効率良く伝送することができる。
【００３３】
一実施形態の光伝送システムは、上記光ケーブルが脱着可能な２つの接続部を有する接続装置を備え、上記２つの接続部は互いに対向している。
【００３４】
上記実施形態の光伝送システムによれば、上記接続装置の一方の接続部に接続された光ケーブルで伝送されてきた光信号は、接続装置の他方の接続部に接続された光ケーブルに入射する。このとき、上記接続装置の一方の接続部に接続された光ケーブルの端面と、接続装置の他方の接続部に接続された光ケーブルの端面とが対向するので、光ケーブル間で光信号を効率良く伝送することができる。
【００３５】
一実施形態の光伝送システムは、上記光ファイバケーブルが脱着可能なＮ（但し、Ｎは３以上の自然数）個の接続部を有する接続装置を備え、上記接続装置は、上記接続部からの光信号を分岐する分岐手段を有する。
【００３６】
上記実施形態の光伝送システムによれば、上記Ｎ個の光ファイバケーブルのうちの１個の光ファイバケーブルで伝送されてきた光信号は、分岐手段によってＮ−１個に分岐して残りの光ファイバケーブルに入射する。したがって、上記１個の光ファイバケーブルの光信号を複数の光伝送装置に伝送することができる。
【００３７】
上記Ｎ個の光ファイバケーブルのうち、少なくとも２つの光ファイバケーブルの端面同士が対向するのが好ましい。
【００３８】
一実施形態の光伝送システムは、上記光ケーブルが脱着可能なＮ（但し、Ｎは３以上の自然数）個の接続部を有する接続装置を備え、上記接続装置は、上記接続部からの光信号を分岐する分岐手段を有する。
【００３９】
上記実施形態の光伝送システムによれば、上記Ｎ個の光ケーブルのうちの１個の光ケーブルで伝送されてきた光信号は、分岐手段によってＮ−１個に分岐して残りの光ケーブルに入射する。したがって、上記１個の光ケーブルの光信号を複数の光伝送装置に伝送することができる。
【００４０】
上記Ｎ個の光ケーブルのうち、少なくとも２つの光ケーブルの端面同士が対向するのが好ましい。
【００４１】
第２の発明の機器は、上記第１の発明の光伝送システムを供えた事を特徴としている。
【００４２】
上記構成の機器によれば、上記第１の発明の光伝送システムを備えるので、様々な温度環境下でも熱損傷が生じにくい。したがって、上記機器は熱損傷に関する信頼性を高めることができる。
【発明の効果】
【００４３】
第１の発明の光伝送システムは、熱帯地および寒冷地で使用しても、チューブ内に流し込んだ流体を用いて光伝送装置を冷却または加熱するので、光ファイバ及び光伝送装置における熱損傷を防ぐことができ、広い温度範囲で使用できる。
【発明を実施するための最良の形態】
【００４４】
以下、本発明の光伝送システムを図示の実施の形態により詳細に説明する。
【００４５】
図１に、本発明の一実施の形態の光伝送システムに用いる光ファイバケーブル１０の一方の端部の３面図を示す。つまり、図１（Ａ）に上記光ファイバケーブル１０の一方の端部の概略上面図を示し、図１（Ｂ）に上記光ファイバケーブル１０の一方の端部の概略側面図を示し、図１（Ｃ）に上記光ファイバケーブル１０の一方の端部の概略正面図を示す。なお、上記光ファイバケーブル１０は一方の端部と他方の端部とが同様の構成であるから、光ファイバケーブル１０の他方の端部に関する説明は省略する。
【００４６】
上記光ファイバケーブル１０は、図１（Ａ）に示すように、光信号を伝播する光ファイバ６と、この光ファイバ６に並進するチューブ７とを有している。上記光ファイバ６及びチューブ７の一方の端部はコネクタ１のハウジング２内に収容されている。このハウジング２の上面にはコネクタ抜け止め部５を形成し、ハウジング２の先端面には略円筒状のフェルール３及びプラグ４を形成している。図１（Ｃ）に示すように、上記フェルール３の中央には光ファイバ６を配置し、プラグ４の中央にはチューブ７を配置している。つまり、上記光ファイバ６の一端はフェルール３と同軸にフェルール３内に配置され、チューブ７の一端はプラグ４と同軸にプラグ４内に配置されている。
【００４７】
図２（Ａ）に図１（Ｂ）のIIＡ−IIＡ線から見た概略断面図を示し、図２（Ｂ）に図１（Ａ）のIIＢ−IIＢ線から見た概略断面図を示す。
【００４８】
図２（Ａ），（Ｂ）に示すように、上記ハウジング２内には例えばエポキシ樹脂２６を充填している。これにより、上記光ファイバ６及びチューブ７はハウジング２内で確実に固定される。
【００４９】
図３に、上記光ファイバケーブル１０を接続する光伝送装置３１の３面図を示す。つまり、図３（Ａ）に上記光伝送装置３１の概略上面図を示し、図３（Ｂ）に上記光伝送装置３１の概略側面図を示し、図３（Ｃ）に上記光伝送装置３１の概略正面図を示す。
【００５０】
上記光伝送装置３１は、図３（Ａ）に示すように、光ファイバケーブル１０のコネクタ１が脱着可能な２つの嵌合部３２Ａ，３２Ｂを有している。この嵌合部３２Ａ，３２Ｂは、それぞれ、コネクタ抜け止め部５が係合するコネクタ抜け防止爪３３Ａ，３３Ｂと、フェルール３が挿入されるレセプタクル３４Ａ，３４Ｂと、プラグ４が挿入されるレセプタクル３５Ａ，３５Ｂとを含んでいる。なお、上記光伝送装置３１は、図３（Ｂ）示すように、他の装置と接続するために外部端子３６も備えている。
【００５１】
図４に、上記光伝送装置３１の３断面図を示す。つまり、図４（Ａ）に上記光伝送装置３１の概略横断面図を示し、図４（Ｂ）に図４（Ａ）のＢ−Ｂ線から見た概略断面図を示し、図４（Ｃ）に図４（Ａ）のＣ−Ｃ線から見た概略断面図を示す。
【００５２】
上記光伝送装置３１の内部には、図４（Ａ）〜（Ｃ）に示すように、銅やアルミなどで形成したヒートシンク４９を設置している。このヒートシンク４９上には、駆動ＩＣ（集積回路）４５Ａ，４５Ｂ、受光素子４４及び発光素子４８を有するプリント配線基板４６を配置している。上記受光素子４４はレセプタクル３４Ａに対向するように配置され、発光素子４８はレセプタクル３４Ｂに対向するように配置されている。また、上記ヒートシンク４９には、レセプタクル３５Ａに対向するように流体入口４７Ａと、レセプタクル３５Ｂに対向するように流体出口４７Ｂとを形成している。
【００５３】
上記構成の光伝送装置３１の嵌合部３２Ａに光ファイバケーブル１０のコネクタ１を接続した場合、光ファイバ６からの光信号を受光素子４４で受けることにより、その光信号を電気信号に変換することができる。上記電気信号はプリント配線板４６を通り、駆動ＩＣ４５Ａにて増幅され、プリント配線板４６に付けられた外部端子３６から、光伝送装置３１の外部へ送出される。
【００５４】
また、上記光伝送装置３１では、チューブ７内を流れてきた流体が流体入口４７Ａからヒートシンク４９内に流れ込む。これにより、上記受光素子４４、駆動ＩＣ４５Ａ，４５Ｂ及び発光素子４８などの熱は、プリント配線板４６及びヒートシンク４９を介して流体に吸収される。したがって、上記ヒートシンク４９内の流体を光伝送装置３１の外部に排出することにより、その熱を光伝送装置３１の外部へ効率よく運び出すことができる。
【００５５】
図５に、上記プリント配線板４６を取り除いた状態の概略図を示す。
【００５６】
上記ヒートシンク４９には流体入口４７Ａから流体出口４７Ｂまでつづく穴５１を形成している。つまり、上記ヒートシンク４９は流体が流れる流路を有している。これにより、上記流体入口４７Ａからヒートシンク４９内に流入した流体は、穴５１を流れて流体出口４７Ｂに到達する。このように、上記流体がヒートシンク４９の複数の部分を通過することにより、ヒートシンク４９の熱を効果的に流体に移すことができる。また、上記ヒートシンク４９内の流体は流体出口４７Ｂからヒートシンク４９の外部に送り出すことができる。ここでは、上記穴５１が流路の一例を構成している。
【００５７】
図６に、他の実施の形態の光伝送装置６１の３断面図を示す。つまり、図６（Ａ）に上記光伝送装置６１の概略横断面図を示し、図６（Ｂ）に図６（Ａ）のＢ−Ｂ線から見た概略断面図を示し、図６（Ｃ）に図６（Ａ）のＣ−Ｃ線から見た概略断面図を示す。また、図６（Ａ）〜（Ｃ）において、図４で示した構成部と同一構成部は、図４における構成部と同一参照番号を付して説明を省略する。
【００５８】
上記光伝送装置６１は、図６（Ａ）に示すように、発電機６２と、この発電機６２の電気を蓄える充電池６３とを有している。上記発電機６２及び充電池６３はプリント配線板４６上に配置している。
【００５９】
図７に、上記プリント配線板４６を取り除いた状態の概略図を示す。
【００６０】
上記光伝送装置６１のヒートシンク６９には流体入口４７Ａから流体出口４７Ｂまでつづく穴６５を形成している。つまり、上記ヒートシンク６９は流体が流れる流路を有している。また、上記穴６５内には、発電機６２の回転動力源となるタービン６４を回転可能に配置している。上記タービン６４はヒートシンク６９内に配置されている。そして、上記タービン６４による回転駆動力はプリント配線板４６上にある発電機６２で受ける。ここでは、上記発電機６２とタービン６４とが変換器の一例を構成し、穴６５が流路の一例を構成している。
【００６１】
上記構成の光伝送装置６１によれば、ヒートシンク６９内を流れる流体がタービン６４を回転させて、発電機６２により起電力が発生する。つまり、上記流体の運動エネルギを電気エネルギに変換する。上記発電機６２で発生した電力はプリント配線板４６上にある充電池６３に充電する。この電力はプリント配線板４６の駆動ＩＣ４５Ａ，４５Ｂや発光素子４８に使われるだけでなく、外部端子３６により光伝送装置６１の外部に取り出され、光伝送装置６１を搭載している機器へ供給される。
【００６２】
図８に、他の実施の形態の光伝送装置８１の３断面図を示す。つまり、図８（Ａ）に上記光伝送装置８１の概略横断面図を示し、図８（Ｂ）に図８（Ａ）のＢ−Ｂ線から見た概略断面図を示し、図８（Ｃ）に図８（Ａ）のＣ−Ｃ線から見た概略断面図を示す。また、図８（Ａ）〜（Ｃ）において、図４で示した構成部と同一構成部は、図４における構成部と同一参照番号を付して説明を省略する。
【００６３】
上記光伝送装置８１はプリント配線板４６上にある充電池８２を有している。
【００６４】
図９に、上記プリント配線板４６を取り除いた状態の概略図を示す。
【００６５】
上記光伝送装置８１のヒートシンク８９内には改質型燃料電池８３があり、流体の化学エネルギを空気中の酸素と反応させ起電力を発生する。この燃料電池８３で得た電力は充電池８２に蓄えることができる。より詳しくは、上記流体入口４７Ａからヒートシンク８９内に流体が入ると、流体が含む水素は改質膜８５を通過して酸素と結合することによって、改質膜８５間で起電力が生じる。上記酸素は、空気取り入れ口８４からヒートシンク８９内に取り込んだ空気に含まれている。ここで、上記流体としては、液体のアルコールや気体の炭化水素などを用いることができる。上記アルコールや炭化水素はエネルギ密度が高いので好ましい。また、上記充電池８２の電力はプリント配線板４６の駆動ＩＣ４５Ａ，４５Ｂや発光素子４８に使われるだけでなく、外部端子３６により光伝送装置８１の外部に取り出され、光伝送装置８１を搭載する機器へ供給される。
【００６６】
図１０（Ａ）に他の実施の形態の光ファイバケーブル１１０の一方の端部の概略側面図を示し、図１０（Ｂ）に上記光ファイバケーブル１１０の一方の端部の概略縦断面図を示す。なお、上記光ファイバケーブル１１０は一方の端部と他方の端部とが同様の構成であるから、光ファイバケーブル１１０の他方の端部に関する説明は省略する。
【００６７】
上記光ファイバ１１０の一方の端部には、図１０（Ａ）に示すようにコネクタ１０１を設けている。このコネクタ１０１は、図１０（Ｂ）に示すように、光ファイバ１０２が略中央に配置されるフェルール１０３と、光ファイバ１０２と同軸となるチューブ状のプラグ１０４とから成っている。上記フェルール１０３はプラグ１０４にリム１０５で固定されている。そして、上記プラグ１０４の末端部にはチューブ１０６が嵌っている。このチューブ１０６内を光ファイバ１０２が挿通している。また、上記チューブ１０６の内周面と光ファイバ１０２の外周面との間は液体を満たしている。これにより、上記光ファイバ１０２が熱に弱いプラスチック製であっても、光ファイバ１０２が熱で損傷するのを防ぐことができる。
【００６８】
また、上記光ファイバケーブル１１０を高温環境で使用する場合、熱容量が大きな液体を光ファイバ１０２の周りを流すことによって、光ファイバ１０２の熱損傷の発生を効果的に防ぐことができる。したがって、上記光ファイバケーブル１１０を広い温度範囲で使用できる。
【００６９】
また、上記流体はリム１０５の隙間１０７からプラグ１０４外へ排出可能である。
【００７０】
図１１に、上記光ファイバケーブル１１０を接続する光伝送装置１１１の３面図を示す。つまり、図１１（Ａ）に上記光伝送装置１１１の概略上面図を示し、図１１（Ｂ）に上記光伝送装置１１１の概略側面図を示し、図１１（Ｃ）に上記光伝送装置１１１の概略正面図を示す。
【００７１】
上記光伝送装置１１１は、図１１（Ｃ）に示すように、光ファイバケーブル１１０のコネクタ１０１が脱着可能な２つの嵌合部１１２Ａ，１１２Ｂを有している。この嵌合部１１２Ａ，１１２Ｂは、それぞれ、プラグ１０４の先端部が係合するコネクタ抜け防止爪１１３Ａ，１１３Ｂと、フェルール１０３が挿入されるレセプタクル１１４Ａ，１１４Ｂとを含んでいる。なお、図１１（Ｂ）の１１６は外部端子である。
【００７２】
図１２に、上記光伝送装置１１１の３断面図を示す。つまり、図１２（Ａ）に上記光伝送装置１１１の概略横断面図を示し、図１２（Ｂ）に図１２（Ａ）のＢ−Ｂ線から見た概略断面図を示し、図１２（Ｃ）に図１２（Ａ）のＣ−Ｃ線から見た概略断面図を示す。
【００７３】
上記光伝送装置１１１は、図１２（Ａ）〜（Ｃ）に示すように、銅やアルミなどで形成したヒートシンク１２９を設置している。このヒートシンク４９上には、駆動ＩＣ１２５Ａ，１２５Ｂ、受光素子１２４及び発光素子１２８を有するプリント配線基板１２６を配置している。上記受光素子１２４はレセプタクル１１４Ａに対向するように配置され、発光素子１２８はレセプタクル１１４Ｂに対向するように配置されている。また、上記ヒートシンク１２９には、流体入口１２７Ａ及び流体出口１２７Ｂを形成している。
【００７４】
上記構成の光伝送装置１１１の嵌合部１１２Ａに光ファイバケーブル１１０のコネクタ１０１を接続した場合、光ファイバ１０２からの光信号を受光素子１２４で受けることにより、その光信号を電気信号に変換することができる。上記電気信号はプリント配線板１２６を通り、駆動ＩＣ１２５Ａにて増幅され、プリント配線板１２６に付けられた外部端子１１６から、光伝送装置１１１の外部へ送出される。
【００７５】
また、上記光伝送装置１１１では、チューブ１０６内を流れてきた流体が流体入口１２７Ａからヒートシンク１２９内に流れ込む。そして、上記流体は、流体出口１２７Ｂからヒートシンク１２９外に出て、嵌合部１１２Ｂに接続した光ファイバケーブル１１０のチューブ１０６内に流入する。これにより、上記受光素子１２４、駆動ＩＣ１２５Ａ，１２５Ｂ及び発光素子１２８などの熱は、プリント配線板１２６及びヒートシンク１２９を介して流体に吸収され、光伝送装置１１１の外部へ効率よく運び出すことができる。
【００７６】
図１３（Ａ）に他の実施の形態の光ケーブル１４０の一方の端部の概略側面図を示し、図１３（Ｂ）に上記光ケーブル１４０の一方の端部の概略縦断面図を示す。なお、上記光ケーブル１４０は一方の端部と他方の端部とが同様の構成であるから、光ケーブル１４０の他方の端部に関する説明は省略する。
【００７７】
上記光ケーブル１４０は、図１３（Ａ），（Ｂ）に示すように、チューブ状のプラグ１３２と、このプラグ１３２の末端に嵌められたチューブ１３３とを有する。このチューブ１３３の内面には透明フッ素樹脂などの透明材料がコーティングされている。
【００７８】
上記構成の光ケーブル１４０によれば、アルコールなどの液体でチューブ１３３内を満たすと、その液体がコアとして機能すると共に、チューブ１３３の内面にコーティングされた透明フッ素樹脂がクラッドとして機能するので、光信号を液体で伝播することができる。つまり、上記光ケーブル１４０では、チューブ１３３の内面にコーティングされた透明フッ素樹脂とこのチューブ１３３内の液体とが光ファイバを構成する。したがって、上記チューブ１３３の材料の屈折率は液体の屈折率よりも小さい事が必要となる。例えば、エチルアルコールの屈折率は１．３６、透明フッ素樹脂の屈折率は１．３４である。
【００７９】
図１４に、上記光ケーブル１４０を接続する光伝送装置１４１の３面図を示す。つまり、図１４（Ａ）に上記光伝送装置１４１の概略上面図を示し、図１４（Ｂ）に上記光伝送装置１４１の概略側面図を示し、図１４（Ｃ）に上記光伝送装置１４１の概略正面図を示す。
【００８０】
上記光伝送装置１４１は、図１４（Ａ），（Ｃ）に示すように、嵌合部としての嵌合部１４３Ａ，１４３Ｂを備えている。上記嵌合部１４３Ａ，１４３Ｂにはプラグ１３２が挿入される。なお、図１４（Ｂ）の１４４は外部端子１４４である。
【００８１】
図１５（Ａ）に上記光伝送装置１４１の概略横断面図を示し、図１５（Ｂ）に図１５（Ａ）のＢ−Ｂから見た概略断面図を示す。
【００８２】
上記光伝送装置１５１の内部には、図１５（Ａ），（Ｂ）に示すように、銅やアルミなどで形成されたヒートシンク１５９を設置している。このヒートシンク１５９上には、駆動ＩＣ１５５Ａ，１５５Ｂ、受光素子１５４及び発光素子１５８を有するプリント配線板１５６を配置している。上記受光素子１５４は嵌合部１４３Ａに対向するように配置され、発光素子１５８は嵌合部１４３Ｂに対向するように配置されている。また、上記受光素子１５４と嵌合部１４３Ａとの間には流体入口１５７Ａを形成する一方、発光素子１５８と嵌合部１４３Ｂとの間には流体出口１５７Ｂを形成している。ここでは、上記流体入口１５７Ａが光学素子の一例を形成している。
【００８３】
上記構成の光伝送装置１４１の嵌合部１４３Ａに光ケーブル１４０のプラグ１３２が挿入した場合、チューブ１３３内の流体からの光信号を受光素子１５４で受けることにより、その光信号を電気信号に変換することができる。上記電気信号はプリント配線板１５６を通り、駆動ＩＣ１５５Ａにて増幅され、プリント配線板１５６に接続された外部端子１４４から、光伝送装置１４１の外部へ送出される。
【００８４】
また、上記光伝送装置１４１では、チューブ１３３内を流れてきた流体は、流体入口１５７Ａからヒートシンク１５９内に流れ込む。そして、上記流体は、流体出口１５７Ｂからヒートシンク１５９外に出て、嵌合部１４３Ｂに接続した光ケーブル１４０のチューブ１３３内に流入する。これにより、上記受光素子１５４、駆動ＩＣ１５５Ａ，１５５Ｂ及び発光素子１２８などの熱は、プリント配線板１２６及びヒートシンク１２９を介して流体に吸収され、光伝送装置１１１の外部へ効率よく運び出すことができる。
【００８５】
また、上記ヒートシンク１５９の流体入口１５７Ａ及び流体出口１５７Ｂは、アクリルなどの透明樹脂材料にて形成されている。これにより、上記流体を伝播する光信号が流体入口１５７Ａを通過するから、その光信号を受光素子１５４で受けることができる。つまり、上記流体を伝播してきた光は、流体入口１５７Ａの透明斜面を通過して受光素子１５４へ入射する。
【００８６】
また、上記プラグ１３２を出た流体は、流体入口１５７Ａの透明斜面により流れの向きが変わって下方に流れていく。
【００８７】
以上、本発明を適用した光ファイバケーブルと光伝送装置を説明したが、光ファイバケーブルと光伝送装置とでシステムを組むためには、光ファイバケーブルまたは光ケーブルの延長、分岐が行える接続装置が必要である。特に、本発明では、光信号と流体との２つの流れを延長、分岐する必要がある。
【００８８】
以下、本発明の光伝送システムに用いる接続装置を図示の実施の形態により詳細に説明する。
【００８９】
図１６に、本発明の一実施の形態の光伝送システムに用いる接続装置１６１の概略図を示す。つまり、図１６（Ａ）に上記接続装置１６１の概略正面図を示し、図１６（Ｂ）に上記接続装置１６１の概略側面図を示す。
【００９０】
上記接続装置１６１の正面には、図１６（Ａ）に示すように、図１の光ファイバケーブル１０のコネクタ１が脱着可能な接続部の一例としての嵌合部１６２Ａを有している。この嵌合部１６２Ａは、コネクタ抜け止め部５が係合するコネクタ抜け防止爪１６３Ａと、フェルール３が挿入されるレセプタクル１６４Ａと、プラグ４が挿入されるレセプタクル１６５Ａとを含んでいる。また、図１６（Ｂ）に示すように、上記接続装置１６１の背面にも嵌合部１６２と同様の嵌合部１６２Ｂを形成している。つまり、上記嵌合部１６８は、コネクタ抜け止め部５が係合するコネクタ抜け防止爪１６３Ｂと、フェルール３が挿入されるレセプタクル１６４Ｂと、プラグ４が挿入されるレセプタクル１６５Ｂとを含んでいる（図１７（Ａ），（Ｂ）参照）。また、上記接続装置１６１の側面には流体の出入り口となるレセプクタル１６６，１６７を形成している。このレセプタクル１６６，１６７によって、接続装置１６１内に流れ込んだ流体を取り出したり、接続装置１６１内に流し込んだりすることができる。なお、上記嵌合部１６２Ａ，１６２Ｂは接続部の一例である。
【００９１】
図１７（Ａ）に図１６（Ｂ）のXVIIＡ−XVIIＡ線から見た概略断面図を示し、図１７（Ｂ）に図１６（Ａ）のXVIIＢ−XVIIＢ線から見た概略断面図を示す。
【００９２】
上記接続装置１６１の嵌合部１６２Ａ，１６２Ｂのそれぞれに光ファイバケーブル１０のコネクタ１を嵌合した場合、フェルール３からレセプタクル１６４Ａに入った光信号は、接続装置１６１内に設置した光ケーブル１７２を通過して、レセプタクル１６４Ｂからフェルール３に入射する。したがって、上記接続装置１６１は、光ファイバケーブル１０の光信号を他の光ファイバケーブル１０に伝送することができる。つまり、上記接続装置１６１によって光信号をより遠くまで伝送することができる。
【００９３】
また、上記プラグ４からレセプタクル１６５Ａ，１６５Ｂに入ってきた流体は、レセプタクル１６６，１６７から接続装置１６１の外部に取り出すことができる。また、上記レセプタクル１６６，１６７を介して光ファイバケーブル１０内に流体を送り込むこともできる。つまり、上記接続装置１６１は、光ファイバケーブル１０内の流体を取り出すことができると共に、光ファイバケーブル１０内に流体を送り込むことができる。
【００９４】
また、上記レセプタクル１６６，１６７を形成しないで、レセプタクル１６５Ａとレセプタクル１６５Ｂとを連通させれば、光ファイバケーブル１０内の流体をより遠くまで送ることができる。
【００９５】
図１８に他の実施の形態の接続装置１８１の概略横断面図を示す。
【００９６】
上記接続装置１８１は、図１６の嵌合部１６２Ａ，１６２Ｂと同様の嵌合部１８２Ａ，１８２Ｂ，１８２Ｃを備えている。上記嵌合部１８２Ａ，１８２Ｂ，１８２Ｃは、フェルール３が挿入されるレセプタクル１８４Ａ，１８４Ｂ，１８４Ｃと、プラグ４が挿入されるレセプタクル１８５Ａ，１８５Ｂ，１８５Ｃとを含んでいる。また、図示しないが、上記嵌合部１８２Ａ，１８２Ｂ，１８２Ｃは、コネクタ抜け止め部５が係合するコネクタ抜け防止爪も含んでいる。上記レセプタクル１８４Ａは、分岐素子１８２によってレセプタクル１８４Ｂ，１８４Ｃと接続されている。また、上記レセプタクル１８５Ａはレセプタクル１８５Ｂ，１８５Ｃと連通している。なお、上記嵌合部１８２Ａ，１８２Ｂ，１８２Ｃは接続部の一例である。
【００９７】
上記構成の接続装置１８１の嵌合部１８２Ａ，１８２Ｂ，１８２Ｃのそれぞれに光ファイバケーブル１０のコネクタ１を嵌合した場合、フェルール３からレセプタクル１８４Ａに入った光信号は分岐素子１８６によって２つに分けられる。一方の光信号はレセプタクル１８４Ｂを介して光ファイバケーブル１０の光ファイバ６に入り、他方の光信号はレセプタクル１８４Ｃを介して他の光ファイバケーブル１０の光ファイバ６に入る。
【００９８】
また、上記プラグ４からレセプタクル１８５Ａに入ってきた流体は接続装置１８１内で２つに分かれる。一方の流体はレセプタクル１８５Ｂを介して光ファイバケーブル１０のチューブ７内に流れ込み、他方の流体はレセプタクル１８５Ｃを介して他の光ファイバケーブル１０のチューブ７内に流れ込む。
【００９９】
図１９（Ａ）に他の実施の形態の接続装置１９１の概略正面図を示し、図１９（Ｂ）に上記接続装置１９１の概略側面図を示し、図１９（Ｃ）に上記接続装置１９１の概略横断面図を示す。
【０１００】
上記接続装置１９１は、図１９（Ａ）〜（Ｃ）に示すように、図１３の光ケーブル１４０のプラグ１３２が脱着可能な嵌合部１９２と、光ケーブル１４０とは異なる構造を有する光ファイバケーブルのコネクタが脱着可能な嵌合部１９６とを有している。上記嵌合部１９６に接続する光ファイバケーブルとしては、例えば、デジタルオーディオの丸型光ファイバがある。上記接続装置１９１内には、アクリルなどの透明材料で形成された光・流体分離素子１９３を配置している。この光・流体分離素子１９３は嵌合部１９２，１９６の両方に対向している。つまり、上記光・流体分離素子１９３は嵌合部１９２と嵌合部１９６との間に配置されている。また、上記嵌合部１９２はレセプタクル１９５と連通している。なお、図１９（Ｃ）の１９７はクランプ部である。ここでは、上記嵌合部１９２は接続部の一例であり、光・流体分離素子１９３が光学素子の一例である。
【０１０１】
上記構成の接続装置１９１によれば、図２０に示すように、光ケーブル１４０を嵌合部１９２に接続し、光ファイバケーブル２００を嵌合部１９６に接続した場合、光ケーブル１４０内を流れてきた流体は、光・流体分離素子１９３の斜面で下方に案内され、レセプタクル１９５から接続装置１９１の外部に出る。上記流体中を伝播して来た光信号は、光・流体分離素子１９３を通過し、光・流体分離素子１９３の表面に形成されたレンズ１９３ａにより集光され、光ファイバケーブル２００の内に入射する。つまり、上記光ケーブル１４０の先端面と光ファイバケーブル２００の先端面とが光結合している。
【０１０２】
例えば車を例にすると、エンジンルーム内は本発明の光伝送装置および光ファイバケーブルまたは光ケーブルを用い、この光ファイバケーブルまたは光ケーブルと、車内の光ファイバケーブルまたは光ケーブルとを接続装置１９１で接続する。上記車内の光ファイバケーブルまたは光ケーブルは車内のデジタルオーディオなどに用いられる。
【０１０３】
図２１に、本発明の一実施の形態の光伝送システムの概略構成図を示す。
【０１０４】
図２１において、２０１〜２０４は図３の光伝送装置３１と同様の光伝送装置であり、２０５〜２０９は図１の光ファイバケーブル１０と同様の光ファイバケーブルであり、２１０は図１６の接続装置１６１と同様の接続装置であり、２１３は水タンクであり、２１１はポンプであり、２１２は加熱冷却装置である。上記光伝送装置２０１は、光ファイバケーブル２０５で接続装置２１０の一方の嵌合部に接続されていると共に、光ファイバケーブル２０６で光伝送装置２０２に接続されている。この光伝送装置２０２は光ファイバケーブル２０７で光伝送装置２０３に接続され、光伝送装置２０３は光ファイバケーブル２０７で光伝送装置２０４に接続されている。また、上記光伝送装置２０４は、光ファイバケーブル２０７で接続装置２１０の他方の嵌合部に接続されている。
【０１０５】
上記構成の光伝送システムは、例えば流体の一例として水を用いて、光伝送装置２０１〜２０４及び光ファイバケーブル２０５〜２０９の熱損傷を防いでいる。具体的には、上記水タンク２１３を出た水は、加熱冷却装置２１２で適当な温度にされた後、ポンプ２１１によって接続装置２１０に送られ、光伝送装置２０１〜２０４及び光ファイバケーブル２０５〜２０９を順次流れて行く。これにより、温度調節された水が光ファイバケーブル２０５〜２０９の光ファイバの温度を適温にしながら、光伝送装置２０１〜２０４に入り、光伝送装置２０１〜２０４の温度も適温にする。そして、最終的には、上記水は水タンクに戻ってくる。
【０１０６】
また、上記光伝送システムにおいて光信号は、光伝送装置２０１〜２０４及び光ファイバケーブル２０５〜２０９を順次伝送される。つまり、上記光伝送システムはトークンリングネットワークを形成しており、どの光伝送装置２０１〜２０４間での通信も可能となっている。
【０１０７】
また、上記光伝送システムを高熱環境下で使用する場合は光伝送システム内を循環させる水の温度を下げ、光伝送システムを低温環境下で使用する場合は光伝送システム内を循環させる水の温度を上がるとよい。
【０１０８】
上記実施の形態では、光伝送システムはトークンリング形式であったが、ツリー形式であってもよい。
【０１０９】
また、上記実施の形態では、チューブ内の流体を光伝送装置内の流路に流していたが、チューブ内の流体を光伝送装置近傍の流路に流してもよい。つまり、上記流体が流れる経路は、光伝送装置内に形成してもよいし、あるいは、光伝送装置外に形成してもよい。
【０１１０】
また、本発明の光伝送システムで用いる流体は、液体であってもよいし、気体であってもよい。あるいは、上記流体は液体と気体とが混合したものであってもよい。
【０１１１】
また、本発明の光伝送システムにおいて、光ファイバとチューブとは一部が物理的に接触してもよいし、大部分が物理的に接触してもよい。
【０１１２】
また、上記光ファイバとチューブとは物理的に直接接触してもよいし、物理的に他の部材を介して接触してもよい。
【０１１３】
また、本発明の光伝送システムに用いる光ファイバはプラスチック光ファイバであってもよい。
【０１１４】
また、本発明の光伝送システムに用いる接続装置は少なくとも２つの接続口を有している。
【図面の簡単な説明】
【０１１５】
【図１】図１（Ａ）は、本発明の一実施の形態の光伝送システムにおける光ファイバケーブルの一方の端部の概略上面図であり、図１（Ｂ）は上記光ファイバケーブルの一方の端部の概略側面図であり、図１（Ｃ）は上記光ファイバケーブルの一方の端部の概略正面図である。
【図２】図２（Ａ）は図１（Ｂ）のIIＡ−IIＡ線から見た概略断面図であり、図２（Ｂ）は図１（Ａ）のIIＢ−IIＢ線から見た概略断面図である。
【図３】図３（Ａ）は上記光ファイバケーブルを接続する光伝送装置の概略上面図であり、図３（Ｂ）は上記光伝送装置の概略側面図であり、図３（Ｃ）は上記光伝送装置の概略正面図である。
【図４】図４（Ａ）は上記光伝送装置の概略横断面図であり、図４（Ｂ）は図４（Ａ）のＢ−Ｂ線から見た概略断面図であり、図４（Ｃ）は図４（Ａ）のＣ−Ｃ線から見た概略断面図である。
【図５】図５は上記光伝送装置においてプリント配線板を取り除いた状態の概略図である。
【図６】図６（Ａ）は他の実施の形態の光伝送装置の概略横断面図であり、図６（Ｂ）は図６（Ａ）のＢ−Ｂ線から見た概略断面図であり、図６（Ｃ）は図６（Ａ）のＣ−Ｃ線から見た概略断面図である。
【図７】図７は図６の光伝送装置においてプリント配線板を取り除いた状態の概略図である。
【図８】図８（Ａ）は他の実施の形態の光伝送装置の概略横断面図であり、図８（Ｂ）は図８（Ａ）のＢ−Ｂ線から見た概略断面図であり、図８（Ｃ）は図８（Ａ）のＣ−Ｃ線から見た概略断面図である。
【図９】図９に図８の光伝送装置においてプリント配線板を取り除いた状態の概略図を示す。
【図１０】図１０（Ａ）は他の実施の形態の光ファイバケーブルの一方の端部の概略側面図であり、図１０（Ｂ）は上記光ファイバケーブルの一方の端部の概略縦断面図である。
【図１１】図１１（Ａ）は図１０の光ファイバケーブルを接続する光伝送装置の概略上面図であり、図１１（Ｂ）に上記光伝送装置の概略側面図であり、図１１（Ｃ）に上記光伝送装置の概略正面図である。
【図１２】図１２（Ａ）は図１１の光伝送装置の概略横断面図であり、図１２（Ｂ）は図１２（Ａ）のＢ−Ｂ線から見た概略断面図であり、図１２（Ｃ）は図１２（Ａ）のＣ−Ｃ線から見た概略断面図である。
【図１３】図１３（Ａ）は他の実施の形態の光ケーブルの一方の端部の概略側面図であり、図１３（Ｂ）は上記光ケーブルの一方の端部の概略縦断面図である。
【図１４】図１４（Ａ）は図１３の光ケーブルを接続する光伝送装置の概略上面図であり、図１４（Ｂ）は上記光伝送装置の概略側面図であり、図１４（Ｃ）は上記光伝送装置の概略正面図である。
【図１５】図１５（Ａ）は図１４の光伝送装置の概略横断面図であり、図１５（Ｂ）は図１５（Ａ）のＢ−Ｂから見た概略断面図である。
【図１６】図１６（Ａ）は本発明の一実施の形態の光伝送システムにおける接続装置の概略正面図であり、図１６（Ｂ）は上記接続層の概略側面図である。
【図１７】図１７（Ａ）は図１６（Ｂ）のXVIIＡ−XVIIＡ線から見た概略断面図であり、図１７（Ｂ）は図１６（Ａ）のXVIIＢ−XVIIＢ線から見た概略断面図である。
【図１８】図１８は他の実施の形態の接続装置の概略横断面図である。
【図１９】図１９（Ａ）は他の実施の形態の接続装置の概略正面図であり、図１９（Ｂ）は上記接続装置の概略側面図であり、図１９（Ｃ）は上記接続装置の概略横断面図である。
【図２０】図２０は図１９の接続装置の一使用例を説明するための概略断面図である。
【図２１】図２１は本発明の一実施の形態の光伝送システムの概略構成図である。
【図２２】図２２は従来の光伝送システムにおける光ファイバの構成を説明するための概略図である。
【図２３】図２３は他の従来の光伝送システムにおける光ファイバケーブルの構成を説明するための概略図である。
【符号の説明】
【０１１６】
１，１０３  フェルール
４，１０４，１３２  プラグ
６，１０２  光ファイバ
７，１０６，１３３  チューブ
１０，１１０，２０５〜２０９  光ファイバケーブル
３１，６１，８１，１１１，１４１，２０１〜２０４  光伝送装置
３２Ａ，３２Ｂ，１１２Ａ，１１２Ｂ，１４３Ａ，１４３Ｂ，１６２Ａ，１６２Ｂ，１８２Ａ，１８２Ｂ，１８２Ｃ，１９２  嵌合部
６２  発電機
６３，８２  充電池
６４  タービン
８３  改質型燃料電池
１４０  光ケーブル
１６１，１８１，１９１，２１０  接続装置
【図１】
2005151354.tif 000003
【図２】
2005151354.tif 000004
【図３】
2005151354.tif 000005
【図４】
2005151354.tif 000006
【図５】
2005151354.tif 000007
【図６】
2005151354.tif 000008
【図７】
2005151354.tif 000009
【図８】
2005151354.tif 000010
【図９】
2005151354.tif 000011
【図１０】
2005151354.tif 000012
【図１１】
2005151354.tif 000013
【図１２】
2005151354.tif 000014
【図１３】
2005151354.tif 000015
【図１４】
2005151354.tif 000016
【図１５】
2005151354.tif 000017
【図１６】
2005151354.tif 000018
【図１７】
2005151354.tif 000019
【図１８】
2005151354.tif 000020
【図１９】
2005151354.tif 000021
【図２０】
2005151354.tif 000022
【図２１】
2005151354.tif 000023
【図２２】
2005151354.tif 000024
【図２３】
2005151354.tif 000025